(57)【要約】【課題】  携帯端末を被装着本体に取り付け運搬する場合に、携帯端末のハンドルとは別に、本体運搬専用の本体ハンドルが必要になり、部品点数が増えてしまうという問題点があった。【解決手段】  回転可能なハンドルを設けた携帯端末が装着する被装着本体において、前記携帯端末との締結部と前記ハンドルの回転を規制するロック部を有し、前記携帯端末と前記被装着本体の締結時に前記ロック部が前記ハンドルの回転を少なくとも１方向に規制する第１のポジションを設け、さらに前記携帯端末と前記被装着本体の締結時に、前記ハンドルの一部が前記被装着本体の接地時の接地面に接する位置で、前記ロック部が前記ハンドルの回転を少なくとも１方向に規制した第２ポジションを設けスタンド機能を兼ねるようにしたハンドル構成。【選択図】  図３
2010147226.tif 000002
【特許請求の範囲】
【請求項１】
装置本体に装着可能な携帯端末に設けられた回転可能なハンドルであって、前記携帯端末を前記装置本体に装着した際に、前記携帯端末と前記装置本体との締結部を有し、前記締結部には前記ハンドルの回転を規制するロック部が設けられていると共に、
前記携帯端末と前記装着本体の装着時に前記ロック部により前記ハンドルの回転を少なくとも１方向に規制する第１のポジションを有し、前記第１のポジションにおいて前記ハンドルを用いて前記携帯端末を持ち上げた際の持ち上げ方向の力が、前記ロック部を介して前記装着本体に伝わることにより、前記ハンドルにより前記装置本体を持ち上げることを可能とし、
前記携帯端末を前記装置本体から取り外している時に、前記ハンドルの回転を少なくとも１方向に規制する第２のポジションを有し、第２のポジションにおいて前記ハンドルは前記携帯端末を支持可能とした
ことを特徴とするハンドル。
【発明の詳細な説明】
【技術分野】
【０００１】
本発明は携帯端末のハンドルが被装着本体に接着された際に本体と共に運搬するため構成に関する。
【背景技術】
【０００２】
従来の技術の一例としては、携帯端末を任意の角度で止められるスタンドが前記携帯端末を運搬するためのハンドルも兼ねているものがあった。
【特許文献１】特開２００５−２４２２６８号公報
【発明の開示】
【発明が解決しようとする課題】
【０００３】
従来の携帯端末にはハンドルを回転し固定することにより、スタンド機能を備えたものがある。（例えば、特許文献１参照）その携帯端末を被装着本体に取り付け運搬する場合に、携帯端末のハンドルとは別に、本体運搬専用の本体ハンドルが必要になり、部品点数が増えてしまうという問題点があった。
【０００４】
また、被装着本体が薄く設置時に不安定な場合、被装着本体側にもスタンドが必要となっていた。
【０００５】
そこで本発明の目的は、部品点数を削減しつつ安定して本体一式を運搬でき、更に携帯端末を被装着本体に取り付け時にハンドルが本体一式のスタンドをも兼ねることができるハンドル構成を提供することにある。
【課題を解決するための手段】
【０００６】
上記課題を解決するために、本発明のハンドルは、装置本体に装着可能な携帯端末に設けられた回転可能なハンドルであって、前記携帯端末を前記装置本体に装着した際に、前記携帯端末と前記装置本体との締結部を有し、前記締結部には前記ハンドルの回転を規制するロック部が設けられていると共に、前記携帯端末と前記装着本体の装着時に前記ロック部により前記ハンドルの回転を少なくとも１方向に規制する第１のポジションを有し、前記第１のポジションにおいて前記ハンドルを用いて前記携帯端末を持ち上げた際の持ち上げ方向の力が、前記ロック部を介して前記装着本体に伝わることにより、前記ハンドルにより前記装置本体を持ち上げることを可能とし、前記携帯端末を前記装置本体から取り外している時に、前記ハンドルの回転を少なくとも１方向に規制する第２のポジションを有し、第２のポジションにおいて前記ハンドルは前記携帯端末を支持可能としたことを特徴とする。
【発明の効果】
【０００７】
以上説明したように、携帯端末のハンドルが本体装着時に本体一式を運搬するためのハンドルとなるため、本体運搬専用ハンドルが不要になり、部品点数の削減可能。また少なくともハンドルの締結部と回転を規制するロック部でハンドルを保持するため安定して本体一式を運搬可能で、ハンドルの一部が前記被装着本体の接地時の接地面に接地することで、本体一式のスタンドも兼ねるハンドル構成を提供することができる。
【発明を実施するための最良の形態】
【０００８】
本発明のハンドル構成について、図を参照して説明する。
【実施例１】
【０００９】
図１ａは本発明の実施形態に係る携帯端末の外観図である。携帯端末本体１は表示部２と操作部３とハンドル４を備えている。ハンドル４は携帯端末本体１との間にフリクション機構を設けることにより（図示せず）任意の位置でハンドル４を止めることができ、ユーザはハンドル４を表示部２の背面側に回転させることにより、携帯端末のハンドル４をスタンドとして使用することができ、表示部を見やすいように調整できる。（図１ｂ）
図２ａは本発明の実施形態に係る被装着本体５の外観図である。本実施形態においては被装着本体５はプリンタであるがこの限りではない。被装着本体５はハンドル締結部５ａとロック部材６を有し、ハンドル締結部５ａは開放部５ｂ先端に抜け止め５ｃがあり狭くなっている。これは図３は本発明の実施形態に係る被装着本体５と携帯端末の締結本体運搬時外観図で示すように、ハンドル支持部４ｂがハンドル締結部５ａに挿入された際に容易に抜けづらくするためである。
【００１０】
図２ｂは被到着本体（図２ａ）のＳ１−Ｓ１断面である。ロック部材６はロック固定部６ｂで被装着本体５にビス８にて締結されており、付勢部材７を介しロック部６ａ及びロック部（第２ポジション）６eが被装着本体５の外側に向けて付勢されている。
【００１１】
また、図２ｃは被到着本体（図２ａ）のＳ１−Ｓ１断面で、ロック部６ａ及びロック部（第２ポジション）６eが押された状態である。切欠部６ｄで撓み凹む仕様になっている。
【００１２】
次にハンドル４の回転を規制する方法について図４、図５にて説明する。
【００１３】
図４ｂはハンドル４の回転のロック動作前、図５ｂはハンドル４の回転のロック動作後であり、また図４ａ、図５ａはそれぞれのＳ２−Ｓ２とＳ３−Ｓ３の断面図である。
【００１４】
ハンドル４がＡ方向に回転すると、ハンドル４がロック部６ａの面取り部６ｃに沿って動くことで、付勢部材７を押しながら凹み図５の位置になる。
【００１５】
図５ａの位置にハンドル４がきたときには、ハンドル４がロック部材６を乗り越えているため、ロック部６ａが元の位置に復帰する。その状態でＢ方向にハンドル４を回転させようと動かそうとしても、ロック部材６のロック部６ａはハンドルロック当接部４ａと対向しているため、ハンドル４はＢ方向には動かず携帯端末は容易には抜けなくなり、また本体を持ち上げた場合はハンドル締結部５ａだけでなく、そのハンドルロック当接部４ａでも本体を支持することもでき、本体を安定して支えることできる。
【００１６】
また回転ロック状態を解除するためには図５ｂに図示されたロック部６ａを押すことでロック部６ａが凹みロックが解除され、ハンドル４はＢ方向に動かすことが出来るようになる。
【００１７】
また、図６はハンドル４を本体用スタンドとして使用した第２ポジションの状態図である。先述した本体一式運搬用第１ポジションと同じことが第２ポジションにおいても行われ、ロック部６ｅでハンドル４がロックされ、ロック部６ｅを押すことでロックが解除される。また、握り部４ｃを他のハンドル部材より硬度の低い部材(ゴム、エラストマ等)にすることで携帯端末運搬時、もしくは本体一式運搬時に手とハンドルの滑り止めになるだけでなく、スタンド状態で本体の接地時の接地面との滑りを防止することも出来る。
【実施例２】
【００１８】
図７ａはロック部材変形例第１ポジションを示す。ロック部材６がハンドル４をＢ方向だけでなくＡ方向にも規制するようにハンドルを挟み込むように、ロック部６ｆを設けている。それにより本体一式を運搬時さらに安定することができる。
【００１９】
図７ｂはロック部材変形例第２ポジションを示す。第２ポジションのロック部６ｇを設けることにより、ハンドル４の角度が固定され、本体一式を設置する際にハンドル４と被装着本体５の間に手を挟むことなく、安全に設置可能となる。
【図面の簡単な説明】
【００２０】
【図１】（ａ）本発明の実施形態に係る携帯端末の外観図  （ｂ）携帯端末ハンドル４のスタンド使用状態
【図２】（ａ）本発明の実施形態に係る被装着本体５の外観図  （ｂ）図２ａにおけるＳ１−Ｓ１断面要所拡大図  （ｃ）におけるＳ１−Ｓ１断面要所拡大図（ロック部６ａ、６eが押圧状態）
【図３】本発明の実施形態に係る被装着本体５と携帯端末の締結外観図
【図４】（ａ）図４ｂにおけるＳ２−Ｓ２断面要所拡大図  （ｂ）ハンドル４の回転をロック動作前
【図５】（ａ）図５ｂにおけるＳ３−Ｓ３断面要所拡大図  （ｂ）ハンドル４の回転をロック動作後
【図６】本案第２ポジション外観図
【図７】（ａ）実施例２の第１ポジション要所拡大図  （ｂ）実施例２の第２ポジション外観図
【符号の説明】
【００２１】
１  携帯端末本体
２  表示部
３  操作部
４  ハンドル（兼スタンド、兼本体ハンドル）
４ａ  ハンドルロック当接部
４ｂ  ハンドル支持部
４ｃ  握り部
５  被装着本体（プリンタ）
５ａ  ハンドル締結部
５ｂ  開放部
５ｃ  抜け止め
６  ロック部材
６ａ  ロック部（第１ポジション）
６ｂ  ロック部固定部（ビス）
６ｃ  面取り部
６ｄ  切欠部
６ｅ  ロック部（第２ポジション）
６ｆ  第２ロック部（第１ポジション）
６ｇ  第２ロック部（第２ポジション）
７  付勢部材
８  ビス
【図１】
2010147226.tif 000003
【図２】
2010147226.tif 000004
【図３】
2010147226.tif 000005
【図４】
2010147226.tif 000006
【図５】
2010147226.tif 000007
【図６】
2010147226.tif 000008
【図７】
2010147226.tif 000009